(57)【要約】      （修正有）【課題】対向する２対の側壁部の内の一方に側圧が加えられた際と、他方に側圧が加えられた際とで変形抵抗に大きな差を生じさせ難く、且つ、いずれの方向に側圧が加えられた場合でも比較的高い変形抵抗を発揮させ得るカット豆腐用容器を提供する。【解決手段】熱可塑性樹脂シートが熱成形されてなり、外周縁が平面視矩形となる底壁１１と外周縁から立ち上がる矩形枠状の周側壁１２と、周側壁の頂部から外向きに延びるフランジ２０とを有し、底壁には、外周縁の４辺それぞれから内向きに延び、外周縁の周方向に対して略直交する方向に沿って延びる直交リブが形成されており、直交リブが４辺の各辺において周方向に間隔を設けて複数本ずつ形成されているカット豆腐用容器１であって、底壁には外周縁の角部から底壁の中央部に向かう方向に沿って延在され、４辺に対して傾斜する方向に延在されている斜行リブがさらに備えられている。【選択図】図２
2014184983.tif 000002
【特許請求の範囲】
【請求項１】
カット豆腐を収容すべく用いられ、熱可塑性樹脂シートが熱成形されてなり、外周縁が平面視矩形となる底壁と該底壁の前記外周縁から立ち上がる矩形枠状の周側壁と、該周側壁の頂部から外向きに延びるフランジとを有し、前記底壁には、平面視矩形の前記外周縁の４辺それぞれから内向きに延び、前記外周縁の周方向に対して略直交する方向に沿って延びる直交リブが形成されており、該直交リブが前記４辺の各辺において前記周方向に間隔を設けて複数本ずつ形成されているカット豆腐用容器であって、
前記底壁には、前記外周縁の角部から当該底壁の中央部に向かう方向に沿って延在され、前記４辺に対して傾斜する方向に延在されている斜行リブがさらに備えられていることを特徴とするカット豆腐用容器。
【請求項２】
前記斜行リブは、前記直交リブよりも幅が狭くなるように形成されている請求項１記載のカット豆腐用容器。
【請求項３】
前記直交リブの一部又は全部は、前記斜行リブと交差しないように前記外周縁から前記斜行リブに至るまでの長さ未満に形成されている請求項１又は２記載のカット豆腐用容器。
【請求項４】
前記直交リブ及び前記斜行リブが前記底壁の下面側に突出するように形成されている請求項１乃至３のいずれか１項に記載のカット豆腐用容器。
【請求項５】
前記底壁の外周縁の形状が平面視略正方形であり、該正方形の対角線に沿った方向に前記斜行リブが形成されている請求項１乃至４のいずれか１項に記載のカット豆腐用容器。
【請求項６】
前記底壁の外周縁の形状が平面視略長方形であり、該長方形の角部を通り、しかも、前記長方形の短辺と長辺とのなす角度が略等しくなるように前記角部を通る仮想線に沿って前記斜行リブを延在させている請求項１乃至４のいずれか１項に記載のカット豆腐用容器。
【発明の詳細な説明】
【技術分野】
【０００１】
本発明は、熱可塑性樹脂シートが熱成形されてなる豆腐用容器に関し、より詳しくは、カット豆腐を収容させるためのカット豆腐用容器に関する。
【背景技術】
【０００２】
従来、食品工場などで製造された豆腐を市場に流通させるのに際して熱可塑性樹脂シートが熱成形されてなる容器に豆腐を収容させて樹脂フィルムで密封した豆腐パックを形成させることが広く行われている。
この豆腐パックの形成に利用される豆腐用容器としては、底壁と該底壁の外周縁から立ち上がる周側壁とによって上部開口した収容凹部が形成され、前記周側壁の頂部によって画定される収容凹部の開口縁から外向きに延びるフランジをさらに備えたものが広く用いられており、前記収容凹部に豆腐を収容させるとともに前記フランジを使って樹脂フィルムとの間にヒートシールが行われて前記収容凹部への豆腐の密封が行われるタイプのものが広く用いられている。
【０００３】
このような豆腐用容器に収容されて豆腐パックの形態で市販される豆腐としては、その製造方法から２種類に大別されており、１丁や半丁といった規格サイズに予め形成されたカット豆腐と呼ばれるものと、豆乳と凝固剤とを含んだ豆腐原液が豆腐用容器に定量充填されて樹脂フィルムなどで密封された後で蒸気加熱されるなどして容器中で凝固された充填豆腐と呼ばれるものとが知られている。
【０００４】
この充填豆腐を収容させるための充填豆腐用容器としては、上記のような製法に利用されることから収容凹部の形状における自由度が比較的高く半球型やハート型といった特徴的な形状のものが採用されたりしている。
一方でカット豆腐を収容させるためのカット豆腐用容器は、通常、カット豆腐が直方体形状に形成されることから前記収容凹部を全体直方体状とさせることが一般的である。
即ち、カット豆腐用容器は、通常、外周縁が平面視矩形となる底壁と該底壁の外周縁から立ち上がる矩形枠状の周側壁とを有し、その内側にカット豆腐よりも一回り大きな直方体形状の収容空間形成させている。
【０００５】
このようなカット豆腐用容器には、材料コストなどの関係から、従来、薄肉化が求められており、薄肉でありながら必要な強度を発揮させるために底壁や周側壁に容器内側、或いは、容器外側に突出するリブを形成させたものが採用されている（下記特許文献１参照）。
このことについてより具体的に説明すると、矩形枠状の前記周側壁には、カット豆腐容器の収容凹部の深さ方向（上下方向）に沿って延在するリブ（以下「側壁リブ」ともいう）を該周側壁の周方向に所定の間隔を設けて複数形成させるとともに前記底壁には該側壁リブに連続するリブを形成させてカット豆腐用容器に上下方向に加わる圧縮力や側方から加わる圧縮力（側圧）に対する強度を付与することが従来行われている。
なお、通常、底壁にも、前記側壁リブと同じく底壁の外周縁の周方向に所定の間隔が設けられて複数のリブが形成されている。
【０００６】
そして、この底壁に形成されるリブは、該底壁の外周縁の４辺それぞれから内側に向けて延在されており、通常、底壁の外周縁の周方向に対して略直交する方向に沿って延びる直交リブとなるように形成されている。
このようなカット豆腐用容器に関し、例えば、下記特許文献１においては、外周縁の角部を介して隣接する一辺側から延びる複数本の直交リブと他辺側から延びる複数本の直交リブとを底壁中央部において交差させた形状を有する容器を豆腐用容器として利用可能であることが記載されている。
【０００７】
ところで、カット豆腐用容器は、複数の容器を積層して“容器スタック”などと呼ばれる積層構造を形成させて容器メーカーから需要者に供給されており、使用時には容器スタックの最も下位となるカット豆腐用容器を順に取り出すような操作が行われている。
このときの具体的な操作としては、周側壁を形成している４つの側壁部の内、対向する位置関係にある２つの側壁部を外側から治具で挟み込んで最も下位のカット豆腐用容器を掴み、該カット豆腐用容器を前記容器スタックから取り出すような方法が広く採用されている。
しかし、このカット豆腐用容器として側圧に対して容易に変形してしまうようなものを用いると最下位のカット豆腐用容器とともにその上位のカット豆腐用容器とが２個同時に容器スタックから取り出されてしまうおそれを有する。
【０００８】
従って、カット豆腐用容器には、側壁部に外側から圧力を受けた際にある程度以上の抵抗力を発揮することが求められている。
なお、カット豆腐用容器を外側から治具等で把持する場合、例えば、平面視長方形の底壁を有するカット豆腐用容器などでは、短辺側の側壁部を接近させる方向に力を加えてカット豆腐用容器を把持するか、長辺側の側壁部を接近させる方向に力を加えて把持するかの２通りの選択肢が通常考えられることになる。
このとき治具で挟み込む方向が限定されるのは好ましいことではないので、長辺方向において発揮される変形抵抗力が短辺方向に比べて極端に低くなったり、或いは、その逆になったりしないことがカット豆腐用容器に要望されている。
しかし、従来のカット豆腐用容器においては、このような要望を満足させることが困難であるという問題を有している。
【先行技術文献】
【特許文献】
【０００９】
【特許文献１】特開２０００−２５７３６号公報
【発明の概要】
【発明が解決しようとする課題】
【００１０】
本発明は、このような問題を解決することを課題としており、対向する２対の側壁部の内の一方に側圧が加えられた際と、他方に側圧が加えられた際とで変形抵抗に大きな差を生じさせ難く、且つ、いずれの方向に側圧が加えられた場合でも比較的高い変形抵抗を発揮させ得るカット豆腐用容器を提供することを課題としている。
【課題を解決するための手段】
【００１１】
本発明者が上記課題を解決すべく鋭意検討を行ったところ、対向する側壁部に側圧が加えられた際に、この側圧が加えられている方向とは別方向に力を拡散させる機構を底壁に付与することが側圧の加えられる方向によって変形抵抗に大きな差を生じさせ難いカット豆腐用容器を得る上において有効であり、しかも、そのような機構を底壁に付与することがいずれの方向に側圧が加えられた場合でも比較的高い変形抵抗をカット豆腐用容器に発揮させるのに有効であることを見出した。
【００１２】
即ち、上記課題を解決するためのカット豆腐用容器に係る本発明は、カット豆腐を収容すべく用いられ、熱可塑性樹脂シートが熱成形されてなり、外周縁が平面視矩形となる底壁と該底壁の前記外周縁から立ち上がる矩形枠状の周側壁と、該周側壁の頂部から外向きに延びるフランジとを有し、前記底壁には、平面視矩形の前記外周縁の４辺それぞれから内向きに延び、前記外周縁の周方向に対して略直交する方向に沿って延びる直交リブが形成されており、該直交リブが前記４辺の各辺において前記周方向に間隔を設けて複数本ずつ形成されているカット豆腐用容器であって、前記底壁には、前記外周縁の角部から当該底壁の中央部に向かう方向に沿って延在され、前記４辺に対して傾斜する方向に延在されている斜行リブがさらに備えられていることを特徴としている。
【発明の効果】
【００１３】
本発明に係るカット豆腐用容器は、平面視矩形の底壁の外周縁の４辺からそれぞれ内側に向けて延在されている直交リブが形成されている。
また、本発明に係るカット豆腐用容器の前記底壁には、その外周縁の角部から当該底壁の中央部に向かう方向に沿って延在され、前記外周縁の４辺に対して傾斜する方向に延在されている斜行リブがさらに備えられている。
従って、周側壁を形成している４つの側壁部の内、対向する位置関係にある２つの側壁部を接近させるように応力を加えた場合において、前記直交リブによってカット豆腐用容器に生じる変形を抑制させることができる。
さらに、このときに直交リブが受ける前記応力が斜行リブに伝達されて該斜行リブの延在方向に転化させることができる。
即ち、本発明に係るカット豆腐用容器は、加えられた力を当該力が加えられている方向とは別方向に拡散させることができる。
【００１４】
また、このような作用は、前記側壁部とは別の側壁部どうしを接近させる方向に応力を加えた場合においても発揮させ得る。
即ち、本発明によれば、対向する２対の側壁部の内の一方に側圧が加えられた際と、他方に側圧が加えられた際とで変形抵抗に大きな差を生じさせ難く、且つ、いずれの方向に側圧が加えられた場合でも比較的高い変形抵抗を発揮させ得るカット豆腐用容器を提供することができる。
【図面の簡単な説明】
【００１５】
【図１】本発明の一実施形態に係るカット豆腐用容器が用いられてなる豆腐パックを表す概略斜視図。
【図２】一実施形態に係るカット豆腐用容器を表す概略斜視図。
【図３】図２においてＡ−Ａ線で示した周側壁の断面形状を表す概略断面図。
【図４】カット豆腐用容器の底壁の様子を概略的に示した下面図。
【図５】力の分散状況を概略的に示した下面図。
【図６】他実施形態に係るカット豆腐用容器の底壁のリブ形状を表す概略下面図。
【図７】従来のカット豆腐用容器の底壁のリブ形状を表す概略下面図。
【発明を実施するための形態】
【００１６】
以下に、本発明の実施の形態について、カット豆腐用容器を例にして図面を参照しつつ説明する。
【００１７】
本実施形態のカット豆腐用容器（以下、単に「豆腐用容器」ともいう）は、熱可塑性樹脂シートに真空成形や圧空成形といった熱成形が施されて立体的な形状が付与されたもので、図１は、本実施形態のカット豆腐用容器にカット豆腐を水とともに密封させてなる豆腐パックの概略斜視図であり、図２は前記カット豆腐用容器の概略斜視図である。
なお、本明細書中においては、図１、２において矢印Ｈで示されている容器深さに係る方向を、上下方向、又は、深さ方向と称し、矢印Ｄで示されている方向を内外方向、又は、径方向と称することがある。
また、本明細書中においては、図１、２において矢印Ｒで示されている方向を周方向と称することがある。
【００１８】
これらの図にも示されているように本実施形態のカット豆腐用容器１（豆腐用容器１）は、上部に矩形開口を有する収容凹部１０を有し、該収容凹部１０が、水とともにカット豆腐８０を収容させた状態で樹脂フィルム９０によって密封されて豆腐パック１００の形成に利用されるものである。
【００１９】
本実施形態の豆腐用容器１は、前記カット豆腐８０の収容スペースを構成している収容凹部１０と、該収容凹部１０の開口縁１０ｅから外向きに略水平に延びるフランジ２０とを有しており、前記フランジ２０の上面側に前記樹脂フィルム９０を接着させ、且つ該フランジ２０に沿って収容凹部１０の開口縁１０ｅを外側から包囲するように前記接着を実施して環状シール部７０を形成させることによって前記カット豆腐８０を密封させうるように形成されている。
【００２０】
前記収容凹部１０は、その上面が前記カット豆腐８０の載置面となる平面視矩形の底壁１１と、該底壁１１の外周縁１１ｅから立ち上がる矩形枠状の周側壁１２とによって形成されており、前記フランジ２０は、該周側壁１２の頂部から外向きに延びるようにしてカット豆腐用容器１に備えられている。
本実施形態における前記底壁１１は、平面視における外周縁１１ｅの形状が、前記周側壁１２の頂部によって画定される収容凹部１０の開口縁１０ｅよりも一回り小さな矩形状となっており、具体的には略正方形となっている。
また、前記フランジ２０の外周縁によって画定される豆腐用容器１の平面視における輪郭形状も略正方形となっているとともに前記開口縁１０ｅの形状も平面視略正方形となっている。
そして、前記周側壁１２は、底壁１１の外周縁１１ｅに沿って垂直に起立する仮想平面に対して僅かに外向き傾斜した状態でカット豆腐用容器１に備えられている。
【００２１】
該周側壁１２は、略正方形の底壁１１の外周縁の各辺からそれぞれ立ち上がる４つの板状部位たる側壁部１２ａによって矩形枠状（角筒状）となるように構成されており、以下においては図２に符号１２ａ１〜１２ａ４で示すように、当該周側壁１２の各板状部位を周方向に順番に第一側壁部１２ａ１、第二側壁部１２ａ２、第三側壁部１２ａ３、及び、第四側壁部１２ａ４と呼び分けることがある。
また、以下においては、底壁１１の外周縁１１ｅを画定している４つの辺の内、前記第一側壁部１２ａ１の立ち上がり基端となる第一の辺を１１ｅ１の符号を付して外周縁第一辺又は単に第一辺と称して他の辺と区別することがある。
さらに、第二側壁部１２ａ２、第三側壁部１２ａ３、及び、第四側壁部１２ａ４の立ち上がり基端となっている残りの３辺についても、それぞれ外周縁第二辺１１ｅ２（第二辺１１ｅ２）、外周縁第三辺１１ｅ３（第三辺１１ｅ３）、及び、外周縁第四辺１１ｅ４（第四辺１１ｅ４）と称することがある。
【００２２】
前記周側壁１２を構成している各側壁部１２ａには、容器深さ方向に沿って延在するリブ１２ｒ（側壁リブ１２ｒ）が複数備えられており、本実施形態における前記側壁リブ１２０は、水平面における断面形状が略半円形となる形状となって外向きに突出するように形成されている。
即ち、本実施形態における側壁リブ１２ｒは、周側壁１２の外表面１２ｏの側において突出した形状となって形成されており、外表面側における突出形状（半円状）に対応する凹入形状を周側壁１２の内表面１２ｉの側に形成させている。
【００２３】
なお、本実施形態においては、第一側壁部１２ａ１と第二側壁部１２ａ２との境界、第二側壁部１２ａ２と第三側壁部１２ａ３との境界、第三側壁部１２ａ３と第四側壁部１２ａ４との境界、及び、第四側壁部１２ａ４と第一側壁部１２ａ１との境界となる周側壁１２の角部１２ａｃにおいても前記境界に沿って側壁リブ１２ｒが形成されている。
また、本実施形態においては、第一側壁部１２ａ１から第四側壁部１２ａ４までの各側壁部は、側壁リブ１２ｒの形成状況等を共通させており、側面視における形状を互いに共通させている。
【００２４】
前記底壁１１は、前記のように平面視略正方形となっており、該正方形の外周縁１１ｅの第一辺１１ｅ１から第四辺１１ｅ４までのそれぞれの辺から内向きに延び、前記外周縁１１ｅの周方向Ｄに対して略直交する方向に沿って延びる直交リブ１１ｒ１が形成されている。
本実施形態のカット豆腐用容器１は、図にも示されているように、前記の第一辺１１ｅ１から第四辺１１ｅ４までの４辺の各辺からそれぞれ内側に向けて前記直交リブ１１ｒ１が複数本ずつ延びるように形成されている。
即ち、前記直交リブ１１ｒ１は、前記４辺の各辺において前記周方向Ｄに間隔を設けて複数本ずつ形成されている。
【００２５】
なお、本実施形態における前記直交リブ１１ｒ１は、前記側壁リブ１２ｒに連続する形で形成されており、底壁１１の外周縁１１ｅにおいて側壁リブ１２ｒの下端に連結されている。
そして、前記直交リブ１１ｒ１は、図３にその断面形状を示すように、当該断面形状が側壁リブ１２ｒと略共通されており、本実施形態のカット豆腐用容器１の接地面となる底壁１１の下面１１ｏの側において断面半円形となって突出するように形成されている。
【００２６】
なお、底壁１１をその下面側から見た様子を示した図４に示されているように、本実施形態のカット豆腐用容器１は、底壁１１の中心部から４つの角部に向けて放射状となるように配置された４本の斜行リブ１１ｒ２がさらに備えられている。
言い換えると、前記斜行リブ１１ｒ２は、底部外周縁の４辺に対して傾斜する方向に延在されており、前記外周縁１１ｅの４つの角部から底壁１１の中央部に向かう方向に沿って延在されている。
該斜行リブ１１ｒ２は、特にその形状等が限定されるものではないが、例えば、前記直交リブ１１ｒ１や前記側壁リブ１２ｒと同様の形状とすることができる。
より具体的には、これらのリブの幅は、通常、１ｍｍ以上８ｍｍ以下とすることができ、好ましくは、２ｍｍ以上５ｍｍ以下とされる。
また、これらのリブの高さは、通常、１ｍｍ以上８ｍｍ以下とすることができ、好ましくは、２ｍｍ以上５ｍｍ以下とされる。
さらに、前記直交リブ１１ｒ１や前記側壁リブ１２ｒにおけるリブ間の間隔は、通常、リブ自体の幅の０．５倍〜２．０倍とすることができる。
【００２７】
なお、本実施形態においては、底壁１１の角部に最も近い位置における直交リブ１１ｒ１どうしが接続されて前記角部においてＬ字型のリブを形成させている。
そして、本実施形態の前記斜行リブ１１ｒ２は、このＬ字型のリブの曲がり角となる直交リブ１１ｒ１どうしの連結箇所１１ｒａによって分断された状態となっている。
即ち、底壁１１の外周縁１１をなす正方形の第一辺１１ｅ１から内側に向けて延びる複数の直交リブ１１ｒ１の内、最も第二辺１１ｅ２に近い位置から延びる直交リブ１１ｒ１は、第二辺１１ｅ２から内側に向けて延びる複数の直交リブ１１ｒ１の内の最も第一辺１１ｅ１に近い位置から延びる直交リブ１１ｒと前記正方形の対角線上において連結された状態となっており、この連結箇所１１ｒａにおいて前記対角線に沿って延在する斜行リブ１１ｒ２を分断させている。
また、第二辺１１ｅ２と第三辺１１ｅ３との間、第三辺１１ｅ３と第四辺１１ｅ４との間、及び、第四辺１１ｅ４と第一辺１１ｅ１との間においても同様に直交リブ１１ｒ１どうしが連結されて斜行リブ１１ｒ２が分断されている。
従って、この２つに分断された斜行リブ１１ｒ２をそれぞれ１本ずつとして数えると、厳密には、本実施形態のカット豆腐用容器１には、合計８本の斜行リブ１１ｒ２が形成されていることになる。
【００２８】
なお、前記のように連結されている直交リブ以外の直交リブ１１ｒ１は、前記斜行リブ１１ｒ２と交差しないように前記外周縁１１ｅから前記斜行リブ１１ｒ２に至るまでの長さ未満に形成されている。
より具体的には、本実施形態のカット豆腐用容器１は、前記４辺の各辺中央部から延びる直交リブの長さが最も長く形成され、そこから辺両端部に向かうに従って直交リブの長さが短くなるように形成されており容器中央側における直交リブの端を結んだ線分が山形（カギ型）となるように当該直交リブ１１ｒ１が形成されている。
本実施形態においては、この底壁１１におけるリブの形状や配置に４回回転対称性が備えられており、平面視における形状が、１／４（９０度）回転させた後も実質的に変化しないように直交リブ１１ｒ１や斜行リブ１１ｒ２が底壁１１に形成されている。
【００２９】
ここで、この直交リブ１１ｒ１と斜行リブ１１ｒ２との機能について、図４の破線囲い部Ｘを拡大して示した図５を参照しつつ説明する。
なお、ここでは第二側壁部１２ａ２と第四側壁部１２ａ４とを接近させる方向に側圧が加えられた場合を例示して、概略的な説明を行うものとする。
直線的に設けられたリブは、通常、その長さ方向に向けて加えられた力に対しては殆ど変形せず、容器に変形抵抗を発揮させるのに有効に作用する。
従って、前記側圧によって第四側壁部１２ａ４の直交リブ１１ｒ１に大きさ“Ｆ”の応力が加わると、この直交リブ１１ｒ１には殆ど変形が生じず、その延長線と斜行リブ１１ｒ２とが交差する地点において加えられたままの大きさ（Ｆ）の応力を作用させることになる。
このとき斜行リブ１１ｒ２の延在する方向に対して傾斜する方向から応力Ｆが加わることで、該応力は、この斜行リブ１１ｒ２の延在する方向への応力（Ｆ１）と該方向とに直交する斜行リブ１１ｒ２の幅方向への応力（Ｆ２）とにベクトルが分かれた形で作用することになる。
さらに、斜行リブ１１ｒ２の幅方向への応力（Ｆ２）については、第三側壁部１２ａ３の基端となる第三辺１１ｅ３から延びる直交リブ１１ｒ１に対してベクトルが分かれた形で作用することになる。
【００３０】
リブは、上記のように長さ方向に向けて加えられた力に対して変形を防止する能力が高いのに対して幅を拡縮させる方向に力が加えられた場合には比較的変形を生じさせやすい。
従って、斜行リブ１１ｒ２が設けられていないと、大きさＦの応力が第三辺１１ｅ３から延びる直交リブ１１ｒ１の幅を狭める変形力となって直接的に作用するためカット豆腐用容器に大きな変形を生じさせるおそれがあるが、上記のように斜行リブ１１ｒ２を設けたことで、第三辺１１ｅ３から延びる直交リブ１１ｒ１に作用する変形力を大きさＦ２１まで減少させることができる。
【００３１】
ここで、図５においてＦ１で示した応力については、同じく第二側壁部１２ａ２に加えられる側圧によって図５に示した斜行リブの延長線上に位置する別の斜行リブ（第四辺１１ｅ４と第一辺１１ｅ１との角部から延びる斜行リブ）に発生される第二の応力と対向する形になるために該第二の応力と相殺されて容器の変形には殆ど加担しないことになる。
なお、図５においてＦ２で示した斜行リブ１１ｒ２の幅方向に作用する応力は、この斜行リブの幅を狭める方向に機能することになる。
従って、該斜行リブ１１ｒ２は、このような応力によって変形し難くさせておくことが好ましい。
なお、幅方向に作用する応力によるリブの変形は、その他の条件が同じであれば、通常、リブの形成幅が広いほど大きくなるため、本実施形態においては、斜行リブ１１ｒ２の形成幅を直交リブの形成幅よりも狭く形成させることが好ましい。
【００３２】
上記においては、底壁外周縁の角部から当該底壁１１の中央部に向かう方向に沿って延在する斜行リブによって直交リブが受ける応力の方向を転換させてカット豆腐用容器１に加えられる力の方向とは別方向に力を拡散させる機構について、第二側壁部１２ａ２と第四側壁部１２ａ４とを接近させる方向に側圧が加えられた場合を例にしているが、本実施形態のカット豆腐用容器１は、底壁１１が４回回転対称性を有することから第一側壁部１２ａ１と第三側壁部１２ａ３とを接近させる方向に側圧が加えられた場合も上記と同様の機能を発揮させることができる。
即ち、対向する２対の側壁部の内の一方に側圧が加えられた際と、他方に側圧が加えられた際とで変形抵抗に大きな差を生じさせ難く、且つ、いずれの方向に側圧が加えられた場合でも比較的高い変形抵抗を発揮させ得る。
【００３３】
なお、このような効果は、底壁１１ｘの外周縁の各辺側から延びる複数本の直交リブ１１ｒｘを底壁中央部において交差させた形状を有する従来の豆腐用容器１ｘ（図７参照）などにおいては期待することが困難な本発明特有の効果である。
【００３４】
この本発明の効果は、必ずしも、平面視における底壁１１の形状が略正方形で４回回転対称性を有するものでなくても、例えば、図６に示すような、底壁１１’の外周縁１１ｅ’の形状が平面視略長方形のカット豆腐用容器１’でも同様に発揮されるものである。
なお、カット豆腐用容器として、底壁１１’の形状が平面視略長方形のものを採用するのに際しては、前記長方形の角部を通り、しかも、前記長方形の短辺１１ａ１’と長辺１１ａ２’とのなす角度が略等しくなるように前記角部を通る仮想線に沿って前記斜行リブ１１ｒ２’を延在させていることが直交リブ１１ｒ１’に沿って加えられた応力を拡散させる上において好適である。
即ち、斜行リブ１１ｒ２’は、短辺１１ａ１’及び長辺１１ａ２’に対して約４５度の角度をなすように延在させることが好ましい。
【００３５】
このような平面視長方形のカット豆腐用容器１’においても、斜行リブ１１ｒ２’による応力拡散効果が発揮され、長辺側を接近させるように側圧を加えた場合と短辺側を接近させるように側圧を加えた場合とで変形抵抗に大きな差が生じることが抑制され得る。
従って、図２に示したような平面視正方形のカット豆腐用容器１と同様に容器スタックを形成させた際に最下位のカット豆腐用容器から順に取り出す操作を容易に実施させ得る。
【００３６】
なお、本実施形態の豆腐用容器１を形成する熱可塑性樹脂シートや、該豆腐用容器の密封に用いられる樹脂フィルム９０としては特に限定されず従来の豆腐パックに利用されている形状保持性に優れた白色や黒色の熱可塑性樹脂シート、及び、内部のカット豆腐が視認可能な透明性を有する樹脂フィルムを採用することができる。
【００３７】
例えば、本実施形態の豆腐用容器１を形成させるための前記熱可塑性樹脂シートとしては、ポリエチレンテレフタレート樹脂シート、ポリブチレンテレフタレートシート、ポリ乳酸樹脂シートなどのポリエステル系樹脂シート；ポリエチレン樹脂シート、ポリプロピレン樹脂シート、エチレン−酢酸ビニル共重合体樹脂シートなどのポリオレフィン系樹脂シート；ポリスチレン樹脂シート、ハイインパクトポリスチレン樹脂シートなどのポリスチレン系樹脂シート、ＰＡ６（ε−カプロラクタム開環重合体）シート、ＰＡ６６（アジピン酸とヘキサメチレンジアミンとの共縮重合体）シート、芳香族ポリアミド樹脂シートなどのポリアミド系樹脂シート、ポリ塩化ビニル樹脂シート、ポリカーボネート樹脂シートなどの樹脂シートや２種類以上の樹脂シートが積層された積層シート、前記樹脂シートと不織布などの樹脂シート以外のシートと樹脂シートとが積層された積層シートなどが採用可能である。
なお、豆腐用容器１の形成に用いる熱可塑性樹脂シートとしては、ポリオレフィン系樹脂シートが好適であり、なかでもポリプロピレン樹脂シートが特に好ましい。
【００３８】
また、前記樹脂フィルム９０としては、少なくとも表面がポリプロピレン樹脂やポリエチレン樹脂で形成されることによってヒートシール性が付与された透明樹脂フィルムなどが好適に採用されうる。
【００３９】
また、これらによって豆腐用容器１や豆腐パック１００を製造する方法についても特に限定されず、真空成形、圧空成形、真空・圧空成形といった従来と同様の熱成形方法を採用することができる。
【００４０】
なお、本発明の豆腐用容器は、上記例示に限定されるものではなく、例えば、上記においては、側圧が加わった際に、その力の加わる方向を拡散させてカット豆腐用容器に優れた変形抵抗を付与する効果をより顕著に発揮させる上において斜行リブと直交リブとを交差させずに斜行リブを独立状態で底壁に形成させた場合を例示しているが、例えば、直交リブの内のいくつかを斜行リブに連結させるようにしてもよい。
また、斜行リブどうしを連結させてもよく、例えば、４（８）本の斜行リブを独立状態で設けた図２、４に示すような態様に代えて、底壁中央部において交差する十字状に連結された斜行リブを形成させてもよい。
さらに、本発明は、従来公知の技術事項等に基づいて本発明の効果が著しく損なわれない範囲において上記例示の態様に種々の変更を加えて実施することができる。
【符号の説明】
【００４１】
１     カット豆腐用容器
１０   収容凹部
１０ｅ 開口縁
１１   底壁
１１ｒ1       直交リブ
１１ｒ２斜行リブ
１２   周側壁
１２ｒ 側壁リブ
２０   フランジ
８０   カット豆腐
９０   樹脂フィルム
１００ 豆腐パック
【図１】
2014184983.tif 000003
【図２】
2014184983.tif 000004
【図３】
2014184983.tif 000005
【図４】
2014184983.tif 000006
【図５】
2014184983.tif 000007
【図６】
2014184983.tif 000008
【図７】
2014184983.tif 000009